(57)【要約】【課題】吸収体を薄型化しても、吸収量が確保でき、横漏れが防止できるようにする。【解決手段】吸収体４は、幅方向両側端が折り返されて折返し部１０を形成するとともに、前記折返し部１０にナプキン長手方向に沿うパターンでエンボス１１を付与する。前記折返し部１０を設けることによって、吸収体４の幅方向両側部での体液の吸収量が増加できる。また、この折返し部１０に前記エンボス１１を付与することによって、体液が高密度化されたエンボス１１に沿ってナプキン長手方向に拡散しやすくなり、体液の横漏れが防止できる。特に、積層部分にエンボス１１が付与してあるので、薄型の吸収体であってもエンボス部分と非エンボス部分との粗密差を大きくすることができ、体液の拡散性が向上できる。【選択図】図２
2014064631.tif 000002
【特許請求の範囲】
【請求項１】
透液性表面シートと裏面シートとの間に吸収体が介在された吸収性物品において、
前記吸収体は、幅方向両側端が折り返されて折返し部が形成されるとともに、前記折返し部に吸収性物品の長手方向に沿うパターンでエンボスが付与されていることを特徴とする吸収性物品。
【請求項２】
前記折返し部は、前記吸収体の幅方向両側端を吸収体の表面側又は裏面側に折り返すことにより形成されている請求項１記載の吸収性物品。
【請求項３】
前記折返し部の幅は、６ｍｍ〜１５ｍｍである請求項１、２いずれかに記載の吸収性物品。
【請求項４】
前記吸収体の幅方向両側端を折り返す前の素材の厚みは１．２ｍｍ以下であり、且つ前記折返し部に前記エンボスを付与した後の前記吸収体の最大厚みは、２．０ｍｍ以下である請求項１、２いずれかに記載の吸収性物品。
【請求項５】
前記吸収体の幅方向両側端が複数回折り返されることにより、前記折返し部が３層以上に積層されている請求項１〜４いずれかに記載の吸収性物品。
【請求項６】
前記エンボスのパターンは、吸収性物品の長手方向に長い単一の図形からなるパターン又は吸収性物品の長手方向に対して連続的若しくは間欠的に配置した複数の図形からなるパターンのいずれか又はこれらの組み合わせとされている請求項１〜５いずれかに記載の吸収性物品。
【発明の詳細な説明】
【技術分野】
【０００１】
本発明は、経血やおりものなどを吸収するための生理用ナプキン、パンティーライナー、失禁パッド等の吸収性物品、詳しくは吸収体の幅方向両側端を折り返して幅方向両側部に多層構造の折返し部を形成した吸収体を有する吸収性物品に関する。
【背景技術】
【０００２】
従来より、生理用ナプキン、パンティライナー、おりものシート、失禁パッドなどの吸収性物品として、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品では、装着感の良さや服装のラインへの目立ちにくさ、或いは持ち運びや収納性の便宜などの要請から薄型化およびコンパクト化が求められており、構成体の１つである吸収体も当然のことながら薄型化が求められている。ところが、吸収体を薄型化すると体液の吸収量も低下し、体液漏れの不安が生じてくるため、これを理由に使用を控えるという意見が多かった。
【０００４】
下記特許文献１では、吸収体として、吸収体長手方向に沿って吸収体の両側方が折り畳まれて積層された上層部と下層部との多層構造を有し、前記下層部には前記上層部の幅方向中央部よりも凹凸高密度化された圧縮領域があるものが開示されている。
【０００５】
また、下記特許文献２では、吸収性複合体の端部分を折り返すことによって、その部分に厚みを持たせ、液体が拡散してきたときに物理的な堰として働き漏れを防止するようにしたものが開示されている。
【先行技術文献】
【特許文献】
【０００６】
【特許文献１】特開２０１０−１０４５４６号公報
【特許文献２】特開２００７−５００２４号公報
【発明の概要】
【発明が解決しようとする課題】
【０００７】
しかしながら、上記特許文献１記載の吸収性物品では、下層部に凹凸高密度化された圧縮領域が形成されたとしても、吸収体が上層部と下層部とからなるため、吸収体が厚くなり、薄型化が実現できていない。このため、装着感が悪く、服装のラインから目立ちやすいなどの不具合が生じていた。また、下層部に凹凸高密度化された圧縮領域を形成することにより、下層の液引き込み性の向上及び上層での液拡散の抑制により、上層表面でのドライ感が得られ、また、側部での吸収体の折曲げにより、側部液漏れの防止が達成できるとされているが、下層部のみに施された圧縮領域は上層部の液拡散を直接的に抑制するものではないため、横漏れが生じる可能性がある。
【０００８】
更に、上記特許文献２記載の体液吸収性物品では、吸収性複合体の端部分を折り返して、この部分の吸収量を増加させているが、折り返した部分の厚みが厚くなるのに加えて、幅方向への体液の拡散を抑制する手段を有していないため、上記特許文献１と同様の問題が発生し得る。
【０００９】
そこで本発明の主たる課題は、吸収体を薄型化しても、吸収量が確保でき、横漏れが防止できる吸収性物品を提供することにある。
【課題を解決するための手段】
【００１０】
上記課題を解決するために請求項１に係る本発明として、透液性表面シートと裏面シートとの間に吸収体が介在された吸収性物品において、
前記吸収体は、幅方向両側端が折り返されて折返し部が形成されるとともに、前記折返し部に吸収性物品の長手方向に沿うパターンでエンボスが付与されていることを特徴とする吸収性物品が提供される。
【００１１】
上記請求項１記載の発明では、吸収体として、幅方向両側端を折り返して折返し部を形成するとともに、前記折返し部に吸収性物品の長手方向に沿うパターンでエンボスを付与したものを用いている。吸収体の幅方向両側部に前記折返し部を形成してあるため、この幅方向両側部における体液の吸収量が増加し、吸収体を薄型化しても吸収量が確保できるとともに、前記折返し部に所定パターンのエンボスを付与してあるため、吸収体の幅方向両側部に達した体液が高密度化されたエンボスに沿って吸収性物品の長手方向に拡散しやすくなり、幅方向への体液の拡散が抑制され、体液の横漏れが防止できるようになる。従って、吸収体を薄型化しても、吸収量が確保でき、横漏れが防止できるようになる。
【００１２】
特に、本吸収体では、吸収体の積層部分にエンボスを付与してあるため、吸収体の単層部分に付与したときよりも、エンボスによる吸収体の圧縮率が大きくなり、薄型の吸収体であってもエンボス部分と非エンボス部分との粗密差を大きくすることができるので、エンボスに沿った長手方向への体液の拡散性がより一層向上でき、幅方向への体液の拡散が抑制される結果、横漏れがより確実に防止できるようになる。
【００１３】
請求項２に係る本発明として、前記折返し部は、前記吸収体の幅方向両側端を吸収体の表面側又は裏面側に折り返すことにより形成されている請求項１記載の吸収性物品が提供される。
【００１４】
上記請求項２記載の発明では、前記折返し部を設けることによって、幅方向両側部での吸収量を増加させるという点においては、吸収体の幅方向両側端を吸収体の表面側に折り返しても裏面側に折り返しても構わないということを規定している。
【００１５】
請求項３に係る本発明として、前記折返し部の幅は、６ｍｍ〜１５ｍｍである請求項１、２いずれかに記載の吸収性物品が提供される。
【００１６】
上記請求項３記載の発明では、前記折返し部での体液の吸収量を確保するとともに、吸収体の厚みを感じさせず装着時の違和感等を防止するという目的のため、前記折返し部の幅を所定範囲に限定したものである。
【００１７】
請求項４に係る本発明として、前記吸収体の幅方向両側端を折り返す前の素材の厚みは１．２ｍｍ以下であり、且つ前記折返し部に前記エンボスを付与した後の前記吸収体の最大厚みは、２．０ｍｍ以下である請求項１、２いずれかに記載の吸収性物品が提供される。
【００１８】
上記請求項４記載の発明では、吸収体を薄型化することによって、装着感を良好にし、服装のラインから目立ちにくくするなどのため、前記折返し部を形成する前の素材の厚みを１．２ｍｍ以下とし、且つ前記折返し部に前記エンボスを付与した後の最大厚みを２．０ｍｍ以下とすることが好ましいことを規定している。
【００１９】
請求項５に係る本発明として、前記吸収体の幅方向両側端が複数回折り返されることにより、前記折返し部が３層以上に積層されている請求項１〜４いずれかに記載の吸収性物品が提供される。
【００２０】
上記請求項５記載の発明では、前記折返し部を３層以上の積層構造とすることにより、幅方向両側部での吸収量を増加させることができる。さらに、この折返し部にエンボスを付与したとき、エンボス部と非エンボス部との粗密差をより大きくすることができるため、長手方向への体液拡散性がより一層向上し、横漏れが確実に防止できるようになる。
【００２１】
請求項６に係る本発明として、前記エンボスのパターンは、吸収性物品の長手方向に長い単一の図形からなるパターン又は吸収性物品の長手方向に対して連続的若しくは間欠的に配置した複数の図形からなるパターンのいずれか又はこれらの組み合わせである請求項１〜５いずれかに記載の吸収性物品が提供される。
【００２２】
上記請求項６記載の発明では、前記エンボスの平面パターンとして、吸収性物品の長手方向に沿ったパターンを具体的に例示している。詳細には、直線等の吸収性物品の長手方向に長い単一の図形からなるパターン、吸収性物品の長手方向に対して多数の楕円等を連続的に配置した複数の図形からなるパターン、間欠線などのように吸収性物品の長手方向に対して多数の直線等を間欠的に配置した複数の図形からなるパターンのいずれかとすることができ、これらの組み合わせとすることもできる。
【発明の効果】
【００２３】
以上詳説のとおり本発明によれば、吸収体を薄型化しても、吸収量が確保でき、横漏れが防止できるようになる。
【図面の簡単な説明】
【００２４】
【図１】本発明に係る生理用ナプキン１の一部破断展開図である。
【図２】そのII−II線矢視図である。
【図３】吸収体４の斜視図である。
【図４】他の形態に係る吸収体４の横断面図（図１のII−II線矢視図）である。
【図５】(A)〜(C)は、他の形態に係る吸収体４の横断面図である。
【図６】(A)〜(D)は、エンボス１１のパターン例（その１）を示す、折返し部１０の平面図である。
【図７】(A)、(B)は、エンボス１１のパターン例（その２）を示す、折返し部１０の平面図である。
【図８】(A)、(B)は、エンボス１１のパターン例（その３）を示す、折返し部１０の平面図である。
【図９】エンボス１１の加工工程（その１）を示す吸収体４の横断面図である。
【図１０】エンボス１１の加工工程（その２）を示す、(A)は吸収体４の横断面図、(B)は吸収体４の平面図である。
【図１１】他の形態に係る生理用ナプキン１の横断面図である。
【図１２】他の形態に係る生理用ナプキン１の横断面図である。
【発明を実施するための形態】
【００２５】
以下、本発明の実施の形態について図面を参照しながら詳述する。
【００２６】
〔生理用ナプキン１の基本構成〕
本発明に係る生理用ナプキン１は、図１に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って配設されたサイド不織布７，７とから構成されている。前記吸収体４の周囲において、そのナプキン長手方向の前後端縁部では、前記不透液性裏面シート２と透液性表面シート３との外縁部がホットメルトなどの接着剤やヒートシール等の接着手段によって接合され、またその両側縁部では吸収体４の端縁よりも側方に延出している前記不透液性裏面シート２と前記サイド不織布７とがホットメルトなどの接着剤やヒートシール等の接着手段によって接合され、外周に吸収体４の存在しない外周フラップ部Ｆが形成されている。
【００２７】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２８】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００２９】
前記不透液性裏面シート２と透液性表面シート３との間に介在される吸収体４は、たとえばフラッフ状パルプと高吸水性ポリマーとにより構成されている。前記高吸水性ポリマーとしては、高吸水ポリマー粒状粉（ＳＡＰ）や高吸水ポリマー繊維（ＳＡＦ）を用いることができる。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。吸収体４の製造方法は、パルプに熱融着性の繊維及び高吸水性ポリマーを混合し、薄型化が可能なように、エアレイド法でウェブを形成した後、加熱接着させることが好ましい。この吸収体４については、後段で更に詳しく説明する。
【００３０】
本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。吸収体４としてエアレイド吸収体を使用した場合、吸収体自体の吸収性能が優れるため、クレープ紙５を使用していなくてもよい。また、前記クレープ紙５は、不織布や低目付のエアレイド不織布を使用してもよい。また、吸収体４を囲繞せずに、吸収体４と透液性表面シート３との間のみに介在させたり、吸収体４と透液性表面シート３との間及び吸収体４と不透液性裏面シート２との間にそれぞれ介在させたりすることができる。
【００３１】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによってウイング状フラップＷ、Ｗが形成されている。
【００３２】
前記サイド不織布７としては、重要視する機能の点から撥水処理不織布または親水処理不織布を使用することができる。たとえば、体液が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける体液の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３３】
〔吸収体４について〕
本生理用ナプキン１においては、前記吸収体４は、図２及び図３に示されるように、幅方向両側端がそれぞれ所定幅で折り返されて積層されることにより、幅方向両側部にそれぞれ長手方向に沿って所定幅の折返し部１０、１０が形成されるとともに、前記折返し部１０にナプキン長手方向に沿うパターンでエンボス１１が付与されている。
【００３４】
前記折返し部１０は、吸収体４の幅方向両側部のみに長手方向に沿って所定幅で形成されたものであり、吸収体４の幅方向中間部は、前記折返し部１０が設けられない吸収体４の単層構造とされている。前記折返し部１０は、幅方向両側部の折返し部１０、１０同士の離間幅が、着用者の体液排出部位の幅を十分に含むように形成され、好ましくはナプキン両側部に配設される前記サイド不織布７、７の内方端同士の離間幅とほぼ同等程度で形成されている。また、前記エンボス１１は、折返し部１０のみに付与され、吸収体４の幅方向中間部には施さないことが望ましい。
【００３５】
このように、本生理用ナプキン１においては、吸収体４の幅方向両側部に前記折返し部１０を設けてあるため、吸収体４の幅方向両側部における体液の吸収量が増加し、吸収体４を薄型化しても吸収量が確保できるようになる。また、前記折返し部１０に所定パターンのエンボス１１を付与してあるため、吸収体４の幅方向中間部から吸収体内部を幅方向に拡散し幅方向両側部に達した体液が、高密度化されたエンボス１１に沿ってナプキン長手方向に拡散しやすくなるので、ナプキン幅方向への体液の拡散が抑制され、体液の横漏れが防止できるようになる。
【００３６】
特に、本吸収体４では、吸収体の積層部分である折返し部１０にエンボス１１を付与してあるため、吸収体４の単層部分に付与したときよりも、エンボス１１による吸収体４の圧縮率が大きくなり、薄型の吸収体であってもエンボス部分と非エンボス部分との粗密差を大きくすることができるので、エンボス１１に沿ったナプキン長手方向への体液の拡散性がより一層向上でき、幅方向への体液の拡散が抑制される結果、横漏れがより確実に防止できるようになる。
【００３７】
前記折返し部１０の積層部分は、層間にホットメルト接着剤等を塗布して接着してもよいし、接着剤を使用せずに単に積層した状態で前記エンボス１１によって圧着或いは融着するようにしてもよい。
【００３８】
前記折返し部１０は、図２及び図３に示されるように、吸収体４の幅方向両側端を吸収体４の表面側（装着時の肌側、透液性表面シート３側）に折り返しても良いし、図４に示されるように、吸収体４の裏面側（装着時の非肌側、不透液性裏面シート２側）に折り返しても良い。何れに折り返した場合でも、吸収体４の幅方向両側部での吸収量が増加し、横漏れ防止という効果が発揮できる。一方、表面側に折り返したときには、裏面側の凹凸が軽減するので装着時の服装のラインへの目立ちにくさの点で効果的であり、逆に裏面側に折り返したときには、表面側の凹凸が軽減するので、折返し部１０による違和感がほとんど感じられなくなる点で効果的である。なお、裏面側に折り返した場合、エンボス１１は、図４に示されるように表面側から付与しても良いし、これとは逆に裏面側から付与しても良い。
【００３９】
図２に示されるように、前記折返し部１０の幅Ｃは、６ｍｍ≦Ｃ≦１５ｍｍ、好ましくは６ｍｍ≦Ｃ≦１０ｍｍとするのがよい。６ｍｍより小さいと十分な吸収量が確保できないし、１５ｍｍより大きくすると折返し部１０の厚みを感じやすくなり、違和感を生じるようになる。また、前記折返し部１０が設けられない吸収体４の幅方向中間部の幅Ａは、５０ｍｍ≦Ａ≦６５ｍｍ、好ましくは５４ｍｍ≦Ａ≦６０ｍｍとするのがよく、吸収体４の全体の幅Ｂは、６２ｍｍ≦Ｂ≦９５ｍｍ、好ましくは６６ｍｍ≦Ｂ≦７２ｍｍとするのがよい。
【００４０】
前記吸収体４の幅方向両側端を折り返す前の素材の厚みＤ（図２に示されるように、前記折返し部１０が設けられない吸収体４の幅方向中間部の幅Ａにおける厚み）は、１．２ｍｍ以下、好ましくは０．３ｍｍ≦Ｄ≦０．９ｍｍとするのがよい。本生理用ナプキン１は、装着感の良さや服装のラインへの目立ちにくさ、或いは持ち運びや収納性の便宜などの点から薄型で且つコンパクト型のナプキンを対象としたものであるので、通常よりも薄い厚みとしている。
【００４１】
また、かかる素材において、幅方向両側端を折り返して前記折返し部１０を形成し、前記エンボス１１を付与した後の前記吸収体４の最大厚みＥ（図２に示されるように、当然のことながら前記エンボス１１によって横断面凹凸状に形成された折返し部１０のうち凸部の厚みとなる。）は、２．０ｍｍ以下、好ましくは０．５ｍｍ≦Ｅ≦１．５ｍｍとするのがよい。このように、積層部分である折返し部１０の厚みの最大値を２．０ｍｍ以下に規定することによって、吸収体４全体としての薄型化を実現している。前記折返し部１０の最大厚みＥを調整するには、エンボスロールの凹部（エンボス凸部が設けられないエンボスロールの表面）とこれに対向する平坦ロール又は前記エンボスロールと噛み合わせ関係にあるエンボス凸部を有する第２エンボスロールとの間隔を調整して、エンボス凸部によるエンボス１１の圧搾と同時に、エンボスロールの凹部によって折返し部１０の表面が全体的に圧縮されるようにしたり、エンボス圧搾に伴う周辺繊維の引き込みによって折返し部１０の厚みが減少する減少量を予め得ておき、エンボス１１の深さや隣接するエンボス間の間隔を調整することによって圧縮されるようにしたりする手段を用いることができる。
【００４２】
前記折返し部１０は、図２及び図３に示されるように、吸収体４の幅方向両側端を１回折り返した２層構造としてもよいし、図５に示されるように、吸収体４の幅方向両側端を２回以上の複数回折り返した３層以上の積層構造としてもよい。３層以上の積層構造とした場合には、２層構造としたものより、幅方向両側部での吸収量が増加できるとともに、折返し部１０にエンボス１１を付与したときの圧縮率を大きくとることができ、粗密差による長手方向への体液拡散性をより一層向上させることができる結果、横漏れが確実に防止できるようになる。図５(A)では、吸収体４の幅方向両側端を内方側に向けて折り返した後、内方側位置にてこの折返し部分の外面側に積層させるように外方側に向けて折り返した、いわばＺ状折りの３層構造としている。(B)では、吸収体４の幅方向両側端を内方側に向けて折り返した後、内方側位置にてこの折返し部分の層間に介在させるように外方側に向けて折り返した、いわばロール巻き状の３層構造としている。(C)では、それぞれ折返し部分の外面側に積層させるように３回折り返した、いわばΣ状折りの４層構造としている。
【００４３】
次に、前記エンボス１１の平面パターンについて説明する。前記エンボス１１は、ナプキン長手方向に沿うパターンで形成されていれば、形状は特に限定されるものではなく、図６に示されるように、ナプキン長手方向に長い単一の図形からなるパターン、図７に示されるように、ナプキン長手方向に対して連続的に配置した複数の図形からなるパターン、図８に示されるように、ナプキン長手方向に対して間欠的に配置した複数の図形からなるパターンのいずれでもよいし、これらを組み合わせたものでもよい。ナプキン長手方向に沿うパターンとは、単一の図形からなるパターン及び複数の図形からなるパターンのいずれにおいても、各図形によって形成されるエンボス溝がそれぞれ、ナプキン幅方向寸法よりナプキン長手方向寸法の方が長く形成されていることを意味する。これにより、各エンボス溝でナプキン幅方向に拡散する体液をナプキン長手方向に拡散する流れに変化させることができるようになる。
【００４４】
前記エンボス１１は、折返し部１０に対して少なくとも１列設けてあればよく、図示例のようにナプキン幅方向に間隔をあけて２列以上の複数列に亘って設けることも可能である。また、エンボス１１は、吸収体４の全長に亘って設けてもよいし、少なくとも体液排出部に対応する部位を含む吸収体４の長手方向中間のみに設けてもよい。
【００４５】
図６に示される単一の図形からなるパターンでは、例えば、(A)直線、(B)楕円、(C)菱形、(D)波状などのエンボス凹部が連続する単一の図形とすることができる。このパターンでは、幅方向に拡散する体液の流れをエンボス１１によって確実に長手方向に変化させることができる。
【００４６】
図７に示される複数の図形を連続配置したパターンでは、例えば、(A)楕円、(B)菱形などの図形がナプキン長手方向の端部同士で接続するように配置することができる。このパターンでは、各図形同士の接続部分が基点となって吸収体４が折れ曲がりやすくなり、ナプキンが身体の丸みに沿って湾曲しやすくなる。
【００４７】
図８に示される複数の図形を間欠配置したパターンでは、例えば、図示例のように直線状のエンボス部１１ａと離間部１１ｂとがナプキン長手方向に対して交互に配置された間欠パターンとすることができる。エンボス部の形状は、直線の他、楕円や菱形、波形等とすることも可能である。このような間欠パターンによってエンボス１１を形成した場合には、間欠部で吸収体４が折れ曲がりやすくなり、吸収体４をしなやかにすることができる。
【００４８】
図８(A)に示されるように、エンボス部１１ａのナプキン長手方向の長さをＬ１、離間部１１ｂのナプキン長手方向の長さをＬ２としたとき、Ｌ１＞Ｌ２の関係となるようにすることが好ましい。これにより、体液がナプキン長手方向に拡散しやすくなる。
【００４９】
エンボス１１をナプキン幅方向に対して複数列に亘って配列する場合、図８(A)に示されるように、ナプキン幅方向に対して、エンボス部１１ａ及び離間部１１ｂが一致するように配置してもよいし、図８(B)に示されるように、ナプキン幅方向に対して、エンボス部１１ａと離間部１１ｂの位相をずらした千鳥状に配置してもよい。千鳥状に配置した場合には、ナプキン幅方向に拡散する体液が直接外側に漏れ出ることがなくなり、エンボス部１１ｂによって確実にナプキン長手方向に拡散させることができる点で有効である。
【００５０】
前記エンボス１１を施すには、図９に示されるように、幅方向両側端をそれぞれ折り返して折返し部１０を形成した後、所定のエンボス凸部を有するエンボスロールとこのエンボスロールに対向配置された平坦ロール又は前記エンボスロールと噛み合わせ関係にあるエンボス凸部を有する第２エンボスロールとの間を通過させることにより施す方法を用いることができる。この方法では、折返し部１０の積層部分にエンボス１１を施すので、エンボスによって折返し部１０の厚みを薄くすることができる。
【００５１】
また、図１０に示されるように、予め幅方向両側部の折り返し予定部分にナプキン長手方向に沿うパターンでエンボス１１を付与するとともに、折返し予定線に対して点線や直線等のエンボス１２を付与した後、前記折返し予定線にて幅方向両側端を折り返す方法を用いることも可能である。この方法では、折り線位置にエンボス１２を予め付与しておくことができるので、幅方向両側端が折り返しやすくなる。また、この場合には、図１０(B)に示されるように、エンボス１１として、複数の波形を間欠的に配置したパターンとすることが好ましく、これにより折返し部分がしなやかになって折り返しやすくすることができる。
【００５２】
ところで、本生理用ナプキン１では、図１１に示されるように、サイド不織布７の表面側から吸収体４の折返し部１０に至るサイドエンボス１３を設けてもよい。前記サイドエンボス１３を設けることにより、折返し部１０を更に薄くすることができるようになる。このサイドエンボス１３は、体液の幅方向への拡散の妨げとならないように、吸収体４の折返し部１０より幅方向内側には設けないことが望ましい。
【００５３】
一方、図１２に示されるように、サイド不織布７の内方端が二重に折り返され、この二重シート内部にナプキン長手方向に沿って弾性伸縮部材１４が配設されることにより、少なくとも体液排出部位を含むように前後方向に所定の区間内において肌側に突出する左右一対の立体ギャザーＢＳ、ＢＳが形成された生理用ナプキン１の場合、前記立体ギャザーＢＳの起立基端位置ＢＳ０は、吸収体４の折返し部１０の上方又はこれより幅方向外側位置とすることが好ましく、折返し部１０より幅方向内側には位置させないことが望ましい。これにより、体液の幅方向外側への拡散が生じやすくなり、折返し部１０に体液を吸収させやすくすることができる。
【符号の説明】
【００５４】
１…生理用ナプキン、２…不透液性裏面シート、３…透液性表面シート、４…吸収体、５…クレープ紙、７…サイド不織布、１０…折返し部、１１…エンボス、Ｆ…外周フラップ部、Ｗ…ウイング状フラップ
【図１】
2014064631.tif 000003
【図２】
2014064631.tif 000004
【図３】
2014064631.tif 000005
【図４】
2014064631.tif 000006
【図５】
2014064631.tif 000007
【図６】
2014064631.tif 000008
【図７】
2014064631.tif 000009
【図８】
2014064631.tif 000010
【図９】
2014064631.tif 000011
【図１０】
2014064631.tif 000012
【図１１】
2014064631.tif 000013
【図１２】
2014064631.tif 000014